(57)【要約】【課題】省スペース化が実現される検査装置を提供する。【解決手段】表示モジュールの検査装置は、カメラ１３０Ａからの撮影データと、カメラ１３０Ｂからの撮影データとを取得する。カメラ１３０Ａからの撮影データは、表示モジュールの撮影範囲５３０および重複領域５５０を含む。カメラ１３０Ｂからの撮影データは、表示モジュールの撮影範囲５４０および重複領域５５０を含む。検査装置は、重複領域５５０の撮影データの特性値が一致するように各撮影データを調整して、調整後のデータを用いて表示ムラを補正するための補正データを生成する。二つのカメラを用いて撮影データを得ることにより、一つのカメラを用いて撮影データを得る場合よりも、カメラと表示モジュールとの距離を短くすることができるので、省スペース化が実現される。【選択図】図５
2013130529.tif 000002
【特許請求の範囲】
【請求項１】
撮影データを用いて表示パネルを検査するための検査装置であって、
検査対象領域の複数の部分領域の撮影データとして、重複領域を有する複数の部分領域の各撮影データを取得するための取得手段と、
前記重複領域における各前記撮影データの特性値が同一の特性値となるように、各前記撮影データを調整するための調整手段と、
調整後の各データに基づいて前記表示パネルの駆動を補正するための補正データを生成する補正データ生成手段と、
前記補正データを出力するための出力手段とを備える、検査装置。
【請求項２】
前記取得手段は、複数の撮影手段の各々によって得られた各前記撮影データの入力を受ける入力手段を含む、請求項１に記載の検査装置。
【請求項３】
前記取得手段は、重複領域を有する複数の部分領域の各撮影データが得られるように、予め設定された複数の撮影位置に一つの撮影装置を配置することによって得られる撮影データの入力を受ける入力手段を含む、請求項１に記載の検査装置。
【請求項４】
撮影データを用いて表示パネルを検査するための検査システムであって、
検査対象領域の複数の部分領域の撮影データとして、重複領域を有する複数の部分領域の各撮影データを取得するための撮影手段と、
前記重複領域における撮影データの特性値が同一の特性値となるように、各前記撮影データを調整するための調整手段と、
調整後の各データに基づいて前記表示パネルの駆動を補正するための補正データを生成する補正データ生成手段と、
前記補正データを出力するための出力手段とを備える、検査システム。
【請求項５】
前記撮影手段は、重複領域を有する複数の部分領域の各撮影データが得られるように、予め設定された複数の撮影位置にそれぞれ配置される複数のカメラを含む、請求項４に記載の検査システム。
【請求項６】
前記撮影手段は、一つのカメラを含み、
前記検査システムは、
重複領域を有する複数の部分領域の各撮影データが得られるように、予め設定された複数の撮影位置に前記一つのカメラを配置するための位置決め手段をさらに備える、請求項４に記載の検査システム。
【請求項７】
コンピュータが撮影データを用いて表示パネルを検査するための検査方法であって、
前記コンピュータが、検査対象領域の複数の部分領域の撮影データとして、重複領域を有する複数の部分領域の各撮影データを取得するステップと、
前記コンピュータが、前記重複領域における撮影データの特性値が同一の特性値となるように、各前記撮影データを調整するステップと、
前記コンピュータが、調整後の各データに基づいて前記表示パネルの駆動を補正するための補正データを生成するステップと、
前記コンピュータが、前記補正データを出力するステップとを備える、検査方法。
【請求項８】
コンピュータを検査装置として機能させるためのプログラムであって、前記プログラムは、前記コンピュータのプロセッサに、
検査対象領域の複数の部分領域の撮影データとして、重複領域を有する複数の部分領域の各撮影データを取得するステップと、
前記重複領域における撮影データの特性値が同一の特性値となるように、各前記撮影データを調整するステップと、
調整後の各データに基づいて前記表示パネルの駆動を補正するための補正データを生成するステップと、
前記補正データを出力するステップとを実行させる、プログラム。
【請求項９】
撮影データを用いて表示パネルを検査するための検査システムとしてコンピュータを機能させるためのプログラムであって、前記プログラムは、前記コンピュータのプロセッサに、
検査対象領域の複数の部分領域の撮影データとして、重複領域を有する複数の部分領域の各撮影データを取得するステップと、
前記重複領域における各前記撮影データの特性値が同一の特性値となるように、各前記撮影データを調整するステップと、
調整後の各データに基づいて前記表示パネルの駆動を補正するための補正データを生成するステップと、
前記補正データを出力するステップとを実行させる、プログラム。
【請求項１０】
請求項８または請求項９に記載のプログラムを格納した、コンピュータ読み取り可能な不揮発性のデータ記録媒体。
【発明の詳細な説明】
【技術分野】
【０００１】
本発明は、撮影データを用いた検査に関し、より特定的には、表示パネルの検査に関する。
【背景技術】
【０００２】
テレビその他の表示装置に用いられる液晶パネルの検査に関し、たとえば、特開２０１１−１５０３４９号公報（特許文献１）は、「表示むらを効率的に抑制するための画質調整装置及び画像補正データ生成プログラム」に関する発明を開示している（［要約］の［課題］）。当該発明の一例によると、「画質調整装置２０の制御部２１は、テストパターンを生成し、液晶パネル１０に供給し、撮影カメラ３０から出力画像を取得する。そして、出力画像データについてバンドパスフィルタリングを行ない、補正値を算出する。そして、すべての基準階調について画像補正テーブルの算出を終了した場合、ＲＯＭに書き込む。液晶パネル１０に画像を表示するための画像信号は、液晶パネル１０と補正回路とに供給される。画像信号を取得した補正回路は、ＲＯＭ５１に記録された画像補正テーブルを参照し、線形補間された補正値を取得する。そして、液晶パネル１０は、補正回路から取得した補正値と、画像信号に基づいて画像を表示する。」というものである（［要約］の［解決手段］）。
【０００３】
また、特開２０１１−１３００１９号公報（特許文献２）は、「表示装置の輝度ムラを適切に補正する」ための技術を開示している（［要約］の［課題］）。
【０００４】
当該技術によると、「表示パネル２１に検査用画像データに応じた画像を表示させる際に、補正領域に含まれる画素のデータを、パターンＡ−１に基づいて、補正領域に含まれ
る画素のうちの少なくとも一部の画素の階調値を変化させるように表示用画像を補正する加算処理部３５と、基準解像度の表示パネルについて予め定めたパターンＡ、およびパターンＡ−２を記憶する補正データ記憶部３１と、パターンＡ−２を用いて、パターンＡからパターンＡ−１を生成する復号部３２とを備え、加算処理部３５は、復号部３２が生成したパターンＡ−１を用いて、表示用画像データを補正し、駆動制御部２２は、加算処理
部３５によって補正された表示用画像データに応じた画像を表示させるように各画素の表示状態を制御する。」というものである（［要約］の［解決手段］）。
【０００５】
また、特開２００７−１０８２８６号公報（特許文献３）は、「液晶表示装置の表示ムラに関して、２次元輝度分布に基づき表示ムラの評価や表示ムラを軽減するための調整をするに際し、ＣＣＤカメラ等を用いて取得した２次元輝度分布には液晶表示装置の視野角特性の影響が含まれており誤差を生じる」ことから（［要約］の［課題］）、「液晶表示装置の２次元輝度分布情報を計測する計測手段と、液晶表示装置の視野角特性による輝度
変化を表す視野角データを出力する手段と、視野角データ及び計測手段の液晶表示装置に対する視野角を用いて２次元輝度分布情報から視野角による輝度変化を打ち消す様に演算して第２の２次元輝度分布情報を出力する演算手段と、第２の２次元輝度分布情報の輝度分布のムラを判定する表示ムラ判定手段とを備え、液晶表示装置の視野角特性に基づき２次元輝度分布を補正する」ための技術を開示している（［要約］の［解決手段］）。
【先行技術文献】
【特許文献】
【０００６】
【特許文献１】特開２０１１−１５０３４９号公報
【特許文献２】特開２０１１−１３００１９号公報
【特許文献３】特開２００７−１０８２８６号公報
【発明の概要】
【発明が解決しようとする課題】
【０００７】
従来の工程では１台のカメラを使用して表示モジュールその他の表示モジュールの表示を撮影してムラけしの補正値を算出している。表示モジュールの大型化に伴い、表示モジュール全体を撮影するためには、カメラを表示モジュールから離して撮影する必要がある。
【０００８】
しかしながら、生産工程では、一般に省スペースが求められているため、表示モジュールから離せる距離にも限界がり、撮影の障害になる場合もあった。たとえば、特許文献１に開示された技術は、小中型の表示モジュールには対応できるが、大型の表示モジュールの表示画面を撮影するためには、撮影装置のためのスペースおよび高性能の撮影装置が必要となる。したがって、スペースの制約を受けることなく表示モジュールの撮影によって得られる撮影データを用いて表示モジュールの表示ムラを補正するための技術が必要とされている。
【０００９】
本発明は、上述のような問題点を解決するためになされたものである。ある局面の目的は、スペースの制約を受けることなく表示モジュールの撮影によって得られる撮影データを用いて表示モジュールを検査するための検査装置を提供することである。
【００１０】
他の局面の目的は、スペースの制約を受けることなく表示モジュールの撮影によって得られる撮影データを用いて表示モジュールを検査するための検査システムを提供することである。
【００１１】
他の局面の目的は、スペースの制約を受けることなく表示モジュールの撮影によって得られる撮影データを用いて表示モジュールを検査するための検査方法を提供することである。
【００１２】
他の局面の目的は、スペースの制約を受けることなく表示モジュールの撮影によって得られる撮影データを用いて表示モジュールを検査するための検査装置または検査システムとしてコンピュータを機能させるためのプログラムを提供することである。
【００１３】
さらに他の局面の目的は、スペースの制約を受けることなく表示モジュールの撮影によって得られる撮影データを用いて表示モジュールを検査するための検査装置または検査システムとしてコンピュータを機能させるためのプログラムを格納した不揮発性のデータ記録媒体を提供することである。
【課題を解決するための手段】
【００１４】
一実施の形態に従うと、撮影データを用いて表示パネルを検査するための検査装置が提供される。この検査装置は、検査対象領域の複数の部分領域の撮影データとして、重複領域を有する複数の部分領域の各撮影データを取得するための取得手段と、重複領域における各撮影データの特性値が同一の特性値となるように、各撮影データを調整するための調整手段と、調整後の各データに基づいて表示パネルの駆動を補正するための補正データを生成する補正データ生成手段と、補正データを出力するための出力手段とを備える。
【００１５】
好ましくは、取得手段は、複数の撮影手段の各々によって得られた各撮影データの入力を受ける入力手段を含む。
【００１６】
好ましくは、取得手段は、重複領域を有する複数の部分領域の各撮影データが得られるように、予め設定された複数の撮影位置に一つの撮影装置を配置することによって得られる撮影データの入力を受ける入力手段を含む。
【００１７】
他の実施の形態に従うと、撮影データを用いて表示パネルを検査するための検査システムが提供される。検査システムは、検査対象領域の複数の部分領域の撮影データとして、重複領域を有する複数の部分領域の各撮影データを取得するための撮影手段と、重複領域における撮影データの特性値が同一の特性値となるように、各撮影データを調整するための調整手段と、調整後の各データに基づいて表示パネルの駆動を補正するための補正データを生成する補正データ生成手段と、補正データを出力するための出力手段とを備える。
【００１８】
好ましくは、撮影手段は、重複領域を有する複数の部分領域の各撮影データが得られるように、予め設定された複数の撮影位置にそれぞれ配置される複数のカメラを含む。
【００１９】
好ましくは、撮影手段は、一つのカメラを含む。検査システムは、重複領域を有する複数の部分領域の各撮影データが得られるように、予め設定された複数の撮影位置に一つのカメラを配置するための位置決め手段をさらに備える。
【００２０】
他の実施の形態に従うと、コンピュータが撮影データを用いて表示パネルを検査するための検査方法が提供される。この検査方法は、コンピュータが、検査対象領域の複数の部分領域の撮影データとして、重複領域を有する複数の部分領域の各撮影データを取得するステップと、コンピュータが、重複領域における撮影データの特性値が同一の特性値となるように、各撮影データを調整するステップと、コンピュータが、調整後の各データに基づいて表示パネルの駆動を補正するための補正データを生成するステップと、コンピュータが、補正データを出力するステップとを備える。
【００２１】
他の実施の形態に従うと、コンピュータを検査装置として機能させるためのプログラムが提供される。プログラムは、コンピュータのプロセッサに、検査対象領域の複数の部分領域の撮影データとして、重複領域を有する複数の部分領域の各撮影データを取得するステップと、重複領域における撮影データの特性値が同一の特性値となるように、各撮影データを調整するステップと、調整後の各データに基づいて表示パネルの駆動を補正するための補正データを生成するステップと、補正データを出力するステップとを実行させる。
【００２２】
他の実施の形態に従うと、撮影データを用いて表示パネルを検査するための検査システムとしてコンピュータを機能させるためのプログラムが提供される。プログラムは、コンピュータのプロセッサに、検査対象領域の複数の部分領域の撮影データとして、重複領域を有する複数の部分領域の各撮影データを取得するステップと、重複領域における各撮影データの特性値が同一の特性値となるように、各撮影データを調整するステップと、調整後の各データに基づいて表示パネルの駆動を補正するための補正データを生成するステップと、補正データを出力するステップとを実行させる。
【００２３】
さらに他の実施の形態に従うと、上記のいずれかのプログラムを格納した、コンピュータ読み取り可能な不揮発性のデータ記録媒体が提供される。
【００２４】
ある実施の形態によると、表示モジュールの検査において、当該表示モジュールと撮影装置との距離を短くすることができるため、省スペース化が実現され得る。
【００２５】
この発明の上記および他の目的、特徴、局面および利点は、添付の図面と関連して理解されるこの発明に関する次の詳細な説明から明らかとなるであろう。
【図面の簡単な説明】
【００２６】
【図１】検査対象である表示装置１０と撮影部１３０との位置関係を表わす図である。
【図２】画像検査において実行される処理の一部を表わすフローチャートである。
【図３】検査システム１００のシステム構成の概略を表わす図である。
【図４】コンピュータシステム４００のハードウェア構成を表わすブロック図である。
【図５】本実施の形態に係る画像検査の一態様を表わす図である。
【図６】表示モジュール検査装置１４０のＣＰＵ１が実行する処理の一部を表わすフローチャートである。
【図７】一台のカメラ１３０Ａが複数の位置において一つの表示モジュール１１０を撮影することにより複数の画像を得る態様を表わす図である。
【図８】表示モジュール検査装置１４０として機能するコンピュータシステム４００のＣＰＵ１が実行する一連の処理の一部を表わすフローチャートである。
【図９】本実施の形態における画像検査の態様を表わす図である。
【図１０】表示モジュール検査装置１４０として機能するコンピュータシステム４００のＣＰＵ１が実行する一連の処理の一部を表わすフローチャートである。
【図１１】表示モジュール検査装置１４０として機能するコンピュータシステム４００のＣＰＵ１が実行する一連の処理の一部を表わすフローチャートである。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、本実施の形態に係る表示モジュールの検査について説明する。図１は、検査対象である表示装置１０と撮影部１３０との位置関係を表わす図である。表示装置１０は、表示モジュール１１０を含む。表示装置１０は、ある局面において、液晶表示テレビ、プラズマテレビその他の映像表示装置を含む。したがって、表示モジュールは、液晶表示パネル、プラズマディスプレイパネル等である。
【００２９】
撮影部１３０は、表示モジュール１１０を撮影し、撮影によって得られたデータ（撮影データ）を表示モジュール検査装置に送信する。
【００３０】
表示モジュール１１０は、ある局面において、ＬＣＤ（Liquid  Crystal  Display）モジュールであるが、その他のパネルであってもよい。
【００３１】
［技術思想］
図２を参照して、本実施の形態に係る技術思想について説明する。図２は、画像検査において実行される処理の一部を表わすフローチャートである。
【００３２】
ステップＳ２１０にて、表示モジュール検査装置は、表示装置の検査のためのテストデータを生成して、当該表示装置に出力する。表示装置は、そのテストデータに基づいて発色し画像を表示する。表示モジュール検査装置は、少なくとも２つ以上の撮影装置を用いて、検査対象物である表示モジュール１１０の画面の一部の領域の画像（撮影データ）を取得する。このとき、各撮影装置によってそれぞれ撮影される領域は、互いに重複する領域を有する。すなわち、表示モジュール検査装置は、撮影によって得られる各撮影データから上記画面全体の撮影データを導出するため、各撮影データの整合性を維持するために、各撮影装置は、重複領域が含まれる場所に位置決めされて、予め設定された撮影条件で撮影する。
【００３３】
ステップＳ２２０にて、表示モジュール検査装置は、取得された各撮影データから補正データを生成する。補正データは、表示モジュール１１０における表示ムラを補正するためのデータである。より詳細には、各撮影データは、たとえば、隣接する領域であって重複領域を有する２つの部分領域の各々を撮影することによって得られる。表示モジュール検査装置は、当該重複領域の特性値が一致するように、いずれかの撮影データまたは両撮影データを調整する。たとえば、表示モジュール検査装置は、重複領域の輝度値が一致するように、撮影データを調整する。そのような調整が終了すると、表示モジュール検査装置は、調整後の２つの撮影データを合成して一つの画面の撮影データとする。その後、表示モジュール検査装置は、撮影データから補正データを導出する。撮影データから補正データを導出するための技術は特に限定されず、公知の技術が用いられる（たとえば、特許文献１，２等参照）。
【００３４】
ステップＳ２３０にて、表示モジュール検査装置は、生成された補正データを用いて、検査対象物（すなわち、表示モジュール１１０）を駆動する。
【００３５】
すなわち、本実施の形態に係る表示モジュールの検査においては、当該表示モジュールの画面を分割して分割された各領域を撮影する。これにより、カメラのような撮影装置と表示モジュールとの距離を小さくすることができる。そして、画面を分割する際には、後述するように、撮影範囲を一部分重ねることによって重複領域を形成し、当該重複領域における特性値（たとえば、輝度、色）に基づいてそれぞれの画像の相互関係をとりながら、各撮影データから一画面全体の撮影データに等価な撮影データを取得する。本実施の形態に係る検査装置は、その取得された撮影データから補正データを導出し、表示モジュールの駆動にフィードバックする。
【００３６】
［システム構成］
図３を参照して、本実施の形態に係る表示モジュール検査装置１４０を備える検査システム１００について説明する。図３は、検査システム１００のシステム構成の概略を表わす図である。
【００３７】
図３を参照して、本発明に係る表示モジュール検査装置１４０を備える検査システム１００について説明する。図３は、検査システム１００のシステム構成の概略を表わす図である。
【００３８】
検査システム１００は、照明部１２０と、撮影部１３０と、表示モジュール検査装置１４０と、表示部１５０とを含む。表示モジュール検査装置１４０は、画像入力部１４１と、記憶部１４２と、演算部１４３と、出力部１４４と、入力部１４５とを含む。
【００３９】
検査システム１００は、表示モジュール１１０を有する表示装置１０を検査する。ある局面において、撮影部１３０は、表示モジュール１１０の前方において規定された位置に配置される。
【００４０】
照明部１２０は、表示モジュール検査装置１４０からの信号に基づいて、当該位置に装着された表示モジュール１１０に対して、予め設定された強度を有する光を照射する。照射される光は、たとえば一般白色光である。撮影部１３０は、表示モジュール１１０からの反射光を受光して撮影し、撮影データ（または画像データ）として表示モジュール検査装置１４０に出力する。撮影部１３０は、たとえば、ＣＭＯＳ（Complementary  Metal-Oxide  Semiconductor）素子、ＣＣＤ（Charge  Coupled  Device）カメラにより実現される。
【００４１】
撮影部１３０は、少なくとも２つ以上の撮影装置を含む。各撮影装置は、表示モジュール１１０の画面のうち、重複領域を有する隣接する部分領域を撮影するように構成されている。撮影部１３０から出力される撮影データは、画像入力部１４１を介して入力され、記憶部１４２において確保されている領域に格納される。記憶部１４２は、たとえばハードディスク装置、フラッシュメモリ等により実現される。記憶部１４２におけるデータの格納の態様は後述する。また、一時的にデータを格納することで処理の高速化を図るために、一時的に生成されるデータは、ＲＡＭ（Random  Access  Memory）その他の揮発性のメモリに格納されてもよい。
【００４２】
演算部１４３は、記憶部１４２に格納されている撮影データを用いて補正データを生成する。たとえば、演算部１４３は、各撮影データのうち重複領域に相当するデータを比較して、当該重複領域の特性値が一致するか否かを判断する。当該特性値が一致する場合には、演算部１４３は、各撮影データを合成して一つの画面の撮影データを導出する。このとき、重複領域のデータとしては、いずれかの撮影データに含まれるデータが用いられる。演算部１４３は、いわゆるＣＰＵ（Central  Processing  Unit）と称される演算制御装置が予め準備されたプログラムを実行することにより実現される。あるいは、演算部１４３は、当該プログラムにより実現される処理を実行するために構成されたハードワイヤード回路、たとえばＦＰＧＡ（Field  Programmable  Gate  Array）等によって実現されてもよい。なお、前述のように、撮影データから補正データを導出する際には、公知の技術が用いられる。
【００４３】
出力部１４４は、演算部１４３により生成された補正データを表示部１５０に出力する。表示部１５０は、そのデータに基づいて画像を表示する。表示部１５０は、たとえば原画像と、画像処理に基づいて検出された放射状の塗布ムラが含まれる欠陥の画像とを表示する。
【００４４】
他の局面において、出力部１４４は、表示装置１０の駆動部１１１に当該補正データを送信する。駆動部１１１は、当該補正データに基づいて表示モジュール１１０を駆動する。この駆動によって表示される画面は、表示ムラが補正された画面となる。
【００４５】
入力部１４５は、表示モジュール検査装置１４０の外部から、データあるいは操作の入力を受け付ける。入力部１４５は、たとえば表示部１５０の表面に装着されるタッチパネル、キーボード、マウスその他のポインティングデバイス等により実現される。
【００４６】
［コンピュータの構成］
図４を参照して、本実施の形態に係る表示モジュール検査装置１４０を実現するコンピュータシステム４００の構成について説明する。図４は、コンピュータシステム４００のハードウェア構成を表わすブロック図である。
【００４７】
コンピュータシステム４００は、主たる構成要素として、プログラムを実行するＣＰＵ１と、コンピュータシステム４００の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信ＩＦ（Interface）９とを備える。各構成要素は、相互にバスによって接続されている。光ディスク駆動装置６には、ＣＤ−ＲＯＭ９その他の光ディスクが装着される。通信ＩＦ９は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００４８】
コンピュータシステム４００における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信ＩＦ７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００４９】
図４に示されるコンピュータシステム４００を構成する各構成要素は、一般的なものである。したがって、本実施の形態の最も本質的な部分は、コンピュータシステム４００に格納されたプログラムであるともいえる。コンピュータシステム４００の各ハードウェアの動作は周知であるので、詳細な説明は繰り返さない。
【００５０】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。
【００５１】
ここでいうプログラムとは、ＣＰＵにより直接実行可能なプログラムだけでなく、ソースプログラム形式のプログラム、圧縮処理されたプログラム、暗号化されたプログラム等を含み得る。
【００５２】
＜第１の実施の形態＞
図５は、本実施の形態に係る画像検査の一態様を表わす図である。ある局面において、表示モジュール１１０の画像検査のために、撮影部１３０として、２つのカメラ１３０Ａ，１３０Ｂが表示モジュール１１０の正面に配置される。このとき、表示モジュール１１０の表示領域うちの、カメラ１３０Ａの撮影範囲５３０と、カメラ１３０Ｂの撮影範囲５４０とは、各々一部の領域が重複しており、重複領域５５０として規定されている。具体的には、重複領域５５０に相当する撮影データは、カメラ１３０Ａおよびカメラ１３０Ｂのいずれによっても得られる。
【００５３】
［制御構造］
図６を参照して、本実施の形態に係る表示モジュール検査装置１４０の制御構造について説明する。図６は、表示モジュール検査装置１４０のＣＰＵ１が実行する処理の一部を表わすフローチャートである。
【００５４】
ステップＳ６１０にて、ＣＰＵ１は、表示モジュール１１０において重複領域５５０を有する複数の部分領域（撮影範囲５３０，５４０）の各撮影データを得るために、各カメラ１３０Ａ，１３０Ｂ毎に定められた撮影範囲５３０，５４０が撮影されるようにカメラ１３０Ａ，１３０Ｂを位置決めする。具体的には、ＣＰＵ１は、カメラ１３０Ａ，１３０Ｂのそれぞれに取付けられているアクチュエータ（図示しない）を駆動するための信号を、当該アクチュエータに送出する。アクチュエータは、その信号に基づきカメラ１３０Ａ，１３０Ｂをそれぞれ駆動し、重複領域５５０が形成されるように、撮影範囲５３０および撮影範囲５４０を設定する。このときの位置情報は、ＣＰＵ１にフィードバックされる。
【００５５】
ステップＳ６２０にて、ＣＰＵ１は、カメラ１３０Ａ，１３０Ｂに命令を送ることにより、１３０Ａ，１３０Ｂによる撮影を実行する。
【００５６】
ステップＳ６３０にて、ＣＰＵ１は、各１３０Ａ，１３０Ｂから、撮影データをそれぞれ受信する。
【００５７】
ステップＳ６４０にて、ＣＰＵ１は、各撮影データと撮影範囲５３０，５４０とを関連付けてそれらのデータをハードディスク５に保存する。撮影範囲５３０，５４０は、たとえば、表示モジュール１１０の表示領域の座標値に基づいて表わされる。表示モジュール１１０の表示領域が矩形である場合、その表示領域のいずれかの端部が原点（０，０）として、水平方向がＸ軸、垂直方向がＹ軸として、それぞれ規定される。撮影範囲５３０，５４０も矩形領域であり、たとえば、｛左上の端部の座標値、右下の端部の座標値｝として規定される。一例として、撮影範囲５３０は、｛（Ｘダイレクト１Ｌ，Ｙ１Ｌ）、（Ｘ１Ｒ，Ｙ１Ｒ）｝として表わされる。撮影範囲５４０は、｛（Ｘ２Ｌ，Ｙ２Ｌ）、（Ｘ２Ｒ，Ｙ２Ｒ）｝として表わされる。ここで、Ｘ軸の座標値の関係は、Ｘ１Ｌ＜Ｘ２Ｌ＜Ｘ１Ｒ＜Ｘ２Ｒである。Ｙ軸の座標値の関係は、Ｙ１Ｌ＝Ｙ２Ｌ，Ｙ２Ｒ＝Ｙ２Ｒである。このとき、重複領域５５０は、｛（Ｘ２Ｌ，Ｙ２Ｌ）、（Ｘ１Ｒ，Ｙ１Ｒ）｝として表わされる。
【００５８】
ステップＳ６５０にて、ＣＰＵ１は、重複領域５５０における撮影データの特性値が同一の特性値となるように、カメラ１３０Ａからの撮影データおよびカメラ１３０Ｂからの撮影データをそれぞれ調整する。たとえば、ＣＰＵ１は、重複領域５５０の輝度値あるいは色が一致するように、カメラ１３０Ａからの撮影データまたはカメラ１３０Ｂからの撮影データを調整する。たとえば、ＣＰＵ１は、重複領域５５０における各撮影データの差異を算出し、当該差異がなくなるように、少なくともいずれかの撮影データを調整する。
【００５９】
ステップＳ６６０にて、ＣＰＵ１は、調整後の各撮影データに基づいて補正データを生成する。たとえば、ＣＰＵ１は、公知の技術を用いて各撮影データから補正データを導出する。
【００６０】
ステップＳ６７０にて、ＣＰＵ１は、補正データを用いて表示装置１０を駆動する。具体的には、ＣＰＵ１は、出力部１４４として機能する通信ＩＦ７を介して、補正データを駆動部１１１に送信する。駆動部１１１は、そのような補正データを受信すると、当該補正データに基づいて表示モジュール１１０を駆動する。これにより、表示装置１０は、補正後の制御データ（補正データ）に従って画像を表示するので、表示ムラが抑制された画像が表示され得る。
【００６１】
以上のようにして、本実施の形態によると、表示モジュール１１０における検査対象領域の撮影画像として予め細分化された複数の部分領域の各画像が、それぞれ撮影される。このとき、互いに隣接する領域の一部が重複するように、各部分領域は撮影される。各部分領域の撮影データが得られると、ＣＰＵ１は、重複する領域の撮影データの特徴（たとえば輝度、濃淡値等）が一致するように、当該重複する領域のうちのいずれかの領域の撮影データを調整する。ＣＰＵ１は、調整後の撮影データをまとめて一画面の撮影データを導出する。ＣＰＵ１は、当該撮影データを用いて補正データを導出する。表示装置１０は、その補正データに従って駆動される。
【００６２】
このようにすると、撮影部１３０（カメラ１３０Ａ，１３０Ｂ）と、表示モジュール１１０との間の距離は、検査対象領域の全体を一度で撮影する場合における撮影部１３０と表示モジュール１１０との間の距離よりも短くすることができる。その結果、表示モジュール１１０を撮影するための撮影部１３０の設置場所が十分に取れない場合であっても、画像検査を実行することができる。
【００６３】
＜第２の実施の形態＞
図７を参照して、第２の実施の形態について説明する。図７は、一台のカメラ１３０Ａが複数の位置において一つの表示モジュール１１０を撮影することにより複数の画像を得る態様を表わす図である。本実施の形態に係る表示モジュール検査装置１４０は、１台のカメラの撮影によって得られたデータを用いて画像検査を実行する点で、前述の第１の実施の形態に係る表示モジュール検査装置１４０と異なる。
【００６４】
なお、本実施の形態に係る表示モジュール検査装置１４０は、第１の実施の形態に係る表示モジュール検査装置１４０と同一のハードウェア構成を用いて実現される。したがって、ハードウェア構成の説明は繰り返さない。
【００６５】
図７を参照して、ある局面において、カメラ１３０Ａは、位置Ａにおいて、撮影範囲７１０を撮影する。その後、カメラ１３０Ａは、位置Ａから位置Ｂに移される。この移動は、カメラ１３０Ａに取付けられたリニアアクチュエータ（図示しない）によって行なわれる。位置Ａおよび位置Ｂは、表示モジュール１１０の検査対象領域と、カメラ１３０Ａの撮影画角とに基づいて、表示モジュール検査装置１４０のユーザによって予め定められる。撮影範囲が広い場合には、カメラ１３０Ａの位置は、位置Ａおよび位置Ｂに限られず、さらに多くの位置において撮影されてもよい。
【００６６】
位置Ｂにおいて、カメラ１３０Ａは、撮影範囲７２０を撮影する。このとき、位置Ｂは、重複領域７３０が形成されるように位置決めされる。
【００６７】
位置Ａにあるカメラ１３０Ａから得られる撮影データと、位置Ｂにあるカメラ１３０Ａから得られる撮影データとは、それぞれ表示モジュール検査装置１４０に送られる。表示モジュール検査装置１４０は、重複領域７３０における各特性値を一致させるために、撮影範囲７１０の撮影データの特性値と撮影範囲７２０の撮影データの特性値とを調整する。たとえば、表示モジュール検査装置１４０は、位置Ａからの撮影によって得られた撮影データにおける重複領域７３０の輝度値と、位置Ｂからの撮影によって得られた撮影データにおける重複領域７３０の輝度値とを比較する。これらの輝度値が一致しない場合、表示モジュール検査装置１４０は、当該輝度値が一致するまで、少なくともいずれかの撮影データを調整する。
【００６８】
［制御構造］
図８を参照して、本実施の形態に係る表示モジュール検査装置１４０の制御構造について説明する。図８は、表示モジュール検査装置１４０として機能するコンピュータシステム４００のＣＰＵ１が実行する一連の処理の一部を表わすフローチャートである。なお、第１の実施の形態における処理と同一の処理には同一のステップ番号を付してある。したがって、当該処理の詳細な説明は、繰り返さない。
【００６９】
ステップＳ８１０にて、ＣＰＵ１は、被検査基板（表示モジュール１１０）における最初の撮影範囲７１０が撮影されるようにカメラ１３０Ａを位置決めする。具体的には、カメラ１３０Ａは、位置Ａに配置される。
【００７０】
ステップＳ８２０にて、ＣＰＵ１は、カメラ１３０Ａに命令を送ることによりカメラ１３０Ａによる撮影を実行する。ＣＰＵ１は、当該撮影を識別するための番号と、位置Ａを識別するためのデータとを関連付けて、ＲＡＭ４に保存する。
【００７１】
ステップＳ８３０にて、ＣＰＵ１は、カメラ１３０Ａによって送られた撮影データを通信ＩＦ７７を介して受信する。
【００７２】
ステップＳ６４０にて、ＣＰＵ１は、撮影データと撮影範囲７１０とを関連付けて保存する。
【００７３】
ステップＳ８５０にて、ＣＰＵ１は、すべての範囲の撮影が終了したか否かを判断する。この判断は、たとえば、ＣＰＵ１はまず表示モジュール１１０において撮影が必要な範囲を予め取得する。ＣＰＵ１は、さらに、撮影範囲を分割することによって何回の撮影が必要かを予め計算する。回数は、表示モジュール１１０の全体の範囲と、１度の撮影による範囲と、重複領域に用いられる範囲の大きさとの比較によって算出される。ＣＰＵ１は、必要な回数の撮影に対して実際に行なわれた撮影の回数を記録しておき、実際に行なわれた撮影の回数が予め算出された必要回数に到達したか否かを判断することによってすべての範囲の撮影が終了したか否かを判断する。ＣＰＵ１は、すべての範囲の撮影が終了したと判断すると（ステップＳ８５０にてＹＥＳ）、制御をステップＳ６５０に切り換える。そうでない場合には（ステップＳ８５０にてＮＯ）、ＣＰＵ１は、制御をステップＳ８６０に切り換える。
【００７４】
ステップＳ８６０にて、ＣＰＵ１は、次の撮影範囲７２０にカメラ１３０Ａを移動する。具体的には、カメラ１３０Ａは、位置Ｂに配置される。その後、ＣＰＵ１は、制御をステップＳ８２０に戻す。
【００７５】
ステップＳ６５０にて、ＣＰＵ１は、重複領域５５０における撮影データの特性値が同一の特性値となるように、カメラ１３０Ａからの撮影データおよびカメラ１３０Ｂからの撮影データをそれぞれ調整する。
【００７６】
ステップＳ６６０にて、ＣＰＵ１は、調整後の各撮影データに基づいて補正データを生成する。
【００７７】
ステップＳ６７０にて、ＣＰＵ１は、補正データを用いて表示装置１０を駆動する。
以上のようにして、本実施の形態によると、一台のカメラ１３０Ａが複数の位置において表示モジュール１１０を撮影することにより、表示モジュール検査装置１４０として機能するコンピュータシステム４００は、重複領域が含まれる複数の撮影データを検査対象の画像を取得することができる。コンピュータシステム４００は、各撮影データに含まれる重複領域のデータの特性値を比較し、特性値が一致するようにいずれかの撮影データを補正する。このようにすると、撮影のためのスペースが十分に取れない場合であっても、当該スペースに応じて表示モジュール１１０に近接した複数の位置から撮影することにより、複数の撮影データから、画面全体の撮影データに等価な撮影データを得ることができる。これにより、表示装置１０の表示ムラを補正するための補正データを導出することができる。
【００７８】
＜第３の実施の形態＞
図９および図１０を参照して、本実施の形態の第３の実施の形態について説明する。図９は、本実施の形態における画像検査の態様を表わす図である。
【００７９】
本実施の形態に係る表示モジュール検査装置１４０は、複数のカメラとして４つのカメラ１３０Ａ，１３０Ｂ，１３０Ｃ，１３０Ｄによってそれぞれ撮影されたデータを用いて検査する構成を有する点で、前述の各実施の形態に係る表示モジュール検査装置と異なる。なお、本実施の形態に係る表示モジュール検査装置１４０は、第１の実施の形態に係る表示モジュール検査装置１４０と同一のハードウェア構成を用いて実現される。したがって、ハードウェア構成の説明は繰り返さない。
【００８０】
ある局面において、表示モジュール１１０のような検査対象物の画像検査のために、４つのカメラ１３０Ａ，１３０Ｂ，１３０Ｃ，１３０Ｄが表示装置１０の前に配置される。このとき、カメラ１３０Ａの撮影範囲は撮影範囲９１０となる。撮影範囲９２０は、カメラ１３０Ｂによってカバーされる。撮影範囲９３０は、カメラ１３０Ｃによってカバーされる。撮影範囲９４０は、カメラ１３０Ｄによってカバーされる。
【００８１】
重複領域９５０は、撮影範囲９１０と撮影範囲９２０とが重複する領域である。重複領域９６０は、撮影範囲９１０と撮影範囲９３０とが重複する領域である。重複領域９７０は、撮影範囲９３０と撮影範囲９４０とが重複する領域である。重複領域９８０は、撮影範囲９２０と撮影範囲９４０とが重なる領域である。重複領域９９０は、すべての撮影範囲９１０，９２０，９３０，９４０が重なる範囲である。
【００８２】
本実施の形態においては、５つの重複領域が生じることになる。この場合、撮影データは複数の重複領域を含むことになるため、撮影データの調整の際に複数の制約条件が存在することになる。そこで、制約条件を緩和するために、重複領域ごとにその大きさ（幅）、すなわち、データ量を変化させてもよい。
【００８３】
具体的には、カメラ１３０Ａからの撮影データは、撮影範囲９１０と、重複領域９５０，９６０，９９０を含む。カメラ１３０Ｂからの撮影データは、撮影範囲９２０と、重複領域９５０，９８０，９９０を含む。カメラ１３０Ｃからの撮影データは、撮影範囲９３０と、重複領域９６０，９７０，９９０を含む。カメラ１３０Ｄからの撮影データは、撮影範囲９４０と、重複領域９７０，９８０，９９０を含む。
【００８４】
この場合、たとえば、重複領域９９０の撮影データの特性値が一定になるように、各カメラからの撮影データが調整されてもよい。あるいは、他の局面において、５つの重複領域のうちのいずれかの重複領域が、表示モジュール１１０が構成される態様に応じて無視されてもよい。たとえば、一定方向に表示ムラが生じることが設計情報等から予想される場合には、当該一定方向に沿った領域間の重複領域の撮影データが調整の対象となってもよい。
【００８５】
［制御構造］
図１０を参照して、本実施の形態に係る表示モジュール検査装置１４０の制御構造について説明する。図１０は、表示モジュール検査装置１４０として機能するコンピュータシステム４００のＣＰＵ１が実行する一連の処理の一部を表わすフローチャートである。なお、前述の実施の形態における処理と同一の処理には同一のステップ番号を付してある。したがって、当該処理の詳細な説明は、繰り返さない。
【００８６】
ステップＳ１０１０にて、ＣＰＵ１は、検査対象物（表示モジュール１１０）における最初の撮影範囲９１０，９２０，９３０，９４０が撮影されるように４つのカメラ１３０Ａ，１３０Ｂ，１３０Ｃ，１３０Ｄをそれぞれ位置決めする。
【００８７】
ステップＳ６２０にて、ＣＰＵ１は、カメラ１３０Ａ，１３０Ｂ，１３０Ｃ，１３０Ｄに命令をそれぞれ送信することにより、表示モジュール１１０の撮影を実行する。
【００８８】
ステップＳ６３０にて、ＣＰＵ１は、通信ＩＦ７７を介して、各カメラ１３０Ａ，１３０Ｂ，１３０Ｃ，１３０Ｄから、撮影データをそれぞれ受信する。
【００８９】
ステップＳ６４０にて、ＣＰＵ１は、各撮影データと各撮影範囲とを関連付けて保存する。
【００９０】
ステップＳ６５０にて、ＣＰＵ１は、撮影範囲のうちの重複領域９５０，９６０，９７０，９８０，９９０における撮影データの特性値が同一の特性値となるように各撮影データを調整する。
【００９１】
ステップＳ６６０にて、ＣＰＵ１は、調整後の各撮影データに基づいて補正データを生成する。
【００９２】
ステップＳ６７０にて、ＣＰＵ１は、補正データを用いて表示装置１０を駆動する。
以上のようにして、本実施の形態によると、第１の実施の形態に示された２台のカメラ１３０Ａ，１３０Ｂを用いて撮影データを取得する場合よりも多くの撮影データが一度に取得される。これにより、カメラ１３０Ａ，１３０Ｂ，１３０Ｃ，１３０Ｄと表示モジュール１１０との間の距離をさらに短くすることができる。
【００９３】
＜第４の実施の形態＞
以下、本実施の形態の第４の実施の形態について説明する。本実施の形態においては、複数のカメラがそれぞれ移動する構成を有する点で、前述の各実施の形態に係る表示モジュール検査装置と異なる。すなわち、一部の撮影範囲を撮影するために複数のカメラが用いられるとともに、撮影後に当該複数のカメラは、それぞれ次の撮影のための位置にアクチュエータによって移動される。
【００９４】
なお、本実施の形態に係る表示モジュール検査装置１４０は、第１の実施の形態に係る表示モジュール検査装置１４０と同一のハードウェア構成を用いて実現される。したがって、ハードウェア構成の説明は繰り返さない。
【００９５】
［制御構造］
図１１を参照して、本実施の形態に係る表示モジュール検査装置の制御構造について説明する。図１１は、表示モジュール検査装置１４０として機能するコンピュータシステム４００のＣＰＵ１が実行する一連の処理の一部を表わすフローチャートである。なお、前述の処理と同一の処理には同一のステップ番号を付してある。したがって、当該処理の詳細な説明は繰り返さない。
【００９６】
ステップＳ６１０にて、ＣＰＵ１は、重複領域を有する複数の部分領域の各撮影データを得るために、各カメラ毎に予め定められた範囲が撮影するようにカメラを位置決めする。ステップＳ６２０にて、ＣＰＵ１は、各カメラによる撮影を実行する。ステップＳ６３０にて、ＣＰＵ１は、各カメラから撮影データを受信する。ステップＳ６４０にて、ＣＰＵ１は、各撮影データと撮影範囲とを関連付けてハードディスク５に保存する。
【００９７】
ステップＳ８５０にて、ＣＰＵ１は、すべての範囲の撮影が終了したか否かを判断する。この判断は、前述の処理と同様にして行なわれる。ＣＰＵ１は、すべての範囲の撮影が終了したと判断すると（ステップＳ８５０にてＹＥＳ）、制御をステップＳ６５０に切り換える。そうでない場合には（ステップＳ８５０にてＮＯ）、ＣＰＵ１は、制御をステップＳ８６０に切り換える。
【００９８】
ステップＳ８６０にて、ＣＰＵ１は、アクチュエータ（図示しない）に命令を送ることにより、次の撮影範囲の位置にカメラを移動させる。
【００９９】
ステップＳ６５０にて、ＣＰＵ１は、撮影範囲のうちの重複領域における撮影データの特性値が同一の特性値となるように各撮影データを調整する。
【０１００】
ステップＳ６６０にて、ＣＰＵ１は、調整後の各撮影データに基づいて補正データを生成する。
【０１０１】
ステップＳ６７０にて、ＣＰＵ１は、補正データを用いて表示装置１０を駆動する。
以上のようにして、本実施の形態に係る表示モジュール検査装置によると、複数のカメラが移動する構成を有するので、一度に撮影される画像を増やせると共にカメラと表示モジュール１１０との距離を短くすることができる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１  ＣＰＵ、２  マウス、３  キーボード、４  ＲＡＭ、５  ハードディスク、６  光ディスク駆動装置、８  モニタ、９  ＲＯＭ、１０  表示装置、１００  検査システム、１１０  表示モジュール、１１１  駆動部、１２０  照明部、１３０  撮影部、１３０Ａ，１３０Ｂ，１３０Ｃ，１３０Ｄ  カメラ、１４０  表示モジュール検査装置、１４１  画像入力部、１４２  記憶部、１４３  演算部、１４４  出力部、１４５  入力部、１５０  表示部、４００  コンピュータシステム。
【図１】
2013130529.tif 000003
【図２】
2013130529.tif 000004
【図３】
2013130529.tif 000005
【図４】
2013130529.tif 000006
【図５】
2013130529.tif 000007
【図６】
2013130529.tif 000008
【図７】
2013130529.tif 000009
【図８】
2013130529.tif 000010
【図９】
2013130529.tif 000011
【図１０】
2013130529.tif 000012
【図１１】
2013130529.tif 000013